(57)【要約】【課題】  移動端末との間における制御情報の通信をより安定して行うことができる基地局装置、及び制御情報の送信条件設定方法を提供する。【解決手段】  本発明の基地局装置１は、移動端末２との間でトラヒックデータ及び制御情報の通信を行うとともに、前記制御情報の通信をトラヒックデータ用の通信コネクションとは別の通信コネクションを用いて行うものであり、移動端末２との通信状態を検知する検知部１１と、検知部１１の検知結果に基づいて、移動端末２との通信状態を判断する判断部１２と、前記制御情報に対する設定を行うパラメータ設定部１３とを備えている。前記制御情報は、当該制御情報以外の他の制御情報の通信の堅牢性に関するパラメータを含んでいる。パラメータ設定部１３は、判断部１２の判断結果に基づいて、前記制御情報に含まれる前記パラメータを設定することで、前記他の制御情報についての通信の堅牢性を通信状態に応じて変化させる。【選択図】      図１
2011120293.tif 000002
【特許請求の範囲】
【請求項１】
移動端末との間でトラヒックデータ及び制御情報の通信を行うとともに、前記制御情報の通信を、トラヒックデータ用の通信コネクションとは別の制御情報用の通信コネクションを用いて行う基地局装置であって、
前記移動端末との通信状態を検知する通信状態検知部と、
前記通信状態検知部の検知結果に基づいて、前記移動端末との通信状態を判断する通信状態判断部と、
前記制御情報に対する設定を行う設定部と、を備え、
前記制御情報は、当該制御情報以外の他の制御情報の通信の堅牢性に関するパラメータを含んでおり、
前記設定部は、前記通信状態判断部の判断結果に基づいて、前記制御情報に含まれる前記パラメータを設定することで、前記他の制御情報についての通信の堅牢性を通信状態に応じて変化させることを特徴とする基地局装置。
【発明の詳細な説明】
【技術分野】
【０００１】
本発明は、広帯域移動無線通信システムなどに用いられる無線通信システム用の基地局装置、及び制御情報の送信条件設定方法に関するものである。
【背景技術】
【０００２】
近年、広範囲なエリアを無線でカバーして高速ブロードバンドサービスを提供することができる通信システムとして、例えば、ＩＥＥＥ８０２．１６に規定されるいわゆる「ＷｉＭＡＸ」と呼ばれる広帯域移動無線通信システム（Ｂｒｏａｄｂａｎｄ  Ｗｉｒｅｌｅｓｓ  Ａｃｃｅｓｓ  Ｓｙｓｔｅｍ、以下、ＢＷＡシステムともいう）が、注目されている。
上記ＢＷＡシステムは、基地局装置と、この基地局装置との間で無線通信を確立する複数の移動端末とを有しており、前記基地局装置は、前記移動端末に対して、広帯域の無線通信サービスを提供する。
上記ＢＷＡシステムでは、基地局装置と移動端末との間でユーザデータ（トラヒックデータ）の送受信以外に、両者間の通信を制御するために必要な情報である制御情報（制御メッセージ）の送受信を互いに行う。
このような制御情報としては、基地局装置側が送信するＦＣＨ（フレーム制御ヘッダ）、ＤＬ−ＭＡＰ（下りサブフレーム割当情報）、ＵＬ−ＭＡＰ（上りサブフレーム割当情報）、ＲＮＧ−ＲＳＰ（レンジング応答情報）等や、移動端末が送信するＲＮＧ−ＲＥＱ（レンジング要求情報）等が挙げられる（例えば、非特許文献１参照）。
【先行技術文献】
【非特許文献】
【０００３】
【非特許文献１】服部武、藤岡雅宣、“改訂版ワイヤレス・ブロードバンド教科書  高速ＩＰワイヤレス編”、初版、株式会社インプレスＲ＆Ｄ、２００６年６月２１日、ｐ．１７７−１８１
【発明の概要】
【発明が解決しようとする課題】
【０００４】
一般に、トラヒックデータの通信については、その通信における安定性を確保するために、通信の堅牢性に関するパラメータ、例えば、変調方式や、送信出力、リピテーション値等を通信状況に応じて適宜設定するように構成されている。
これに対して、上記制御情報の通信においては、トラヒックデータの通信を行うための通信路（通信コネクション）とは別の通信路が用いられているが、この制御情報用の通信コネクションにおいては、トラヒックデータの通信コネクションのように、堅牢性に関するパラメータについての調整は行われていなかった。このため、基地局装置と移動端末との間の制御情報の通信が安定して行うことができなくなるおそれがあった。
上記制御情報は、両者間の通信を制御するために必要な情報であるため、基地局装置と移動端末との間で確実に送受信が行われないと、安定した通信の実現が困難になる場合や、全く通信することができない場合が生じる。このため、制御情報の通信をより安定して行うことができる方策が嘱望されていた。
本発明はこのような事情に鑑みてなされたものであり、移動端末との間における制御情報の通信をより安定して行うことができる基地局装置、及び制御情報の送信条件設定方法を提供することを目的とする。
【課題を解決するための手段】
【０００５】
上記目的を達成するための本発明は、移動端末との間でトラヒックデータ及び制御情報の通信を行うとともに、前記制御情報の通信を、トラヒックデータ用の通信コネクションとは別の制御情報用の通信コネクションを用いて行う基地局装置であって、前記移動端末との通信状態を検知する通信状態検知部と、前記通信状態検知部の検知結果に基づいて、前記移動端末との通信状態を判断する通信状態判断部と、前記制御情報に対する設定を行う設定部と、を備え、前記制御情報は、当該制御情報以外の他の制御情報の通信の堅牢性に関するパラメータを含んでおり、前記設定部は、前記通信状態判断部の判断結果に基づいて、前記制御情報に含まれる前記パラメータを設定することで、前記他の制御情報についての通信の堅牢性を通信状態に応じて変化させることを特徴としている。
【０００６】
上記のように構成された基地局装置によれば、設定部によって、制御情報に含まれる、他の制御情報の通信の堅牢性に関するパラメータの設定を行うことができるので、移動端末との通信状態に応じて、他の制御情報についての通信の堅牢性を変化させることができ、制御情報の通信における堅牢性を好適に設定することができる。これにより、移動端末との間における制御情報の通信をより安定して行うことができる。
【０００７】
上記基地局装置において、前記パラメータは、前記他の制御情報の送信出力値、及びリピテーション値の内、少なくともいずれか一方を含んでいることが好ましく、これら値を適切に設定することで、他の制御情報についての通信の堅牢性を通信状態に応じて変化させることができる。
【０００８】
また、前記通信状態検知部は、当該基地局装置が送信した前記制御情報に対する前記移動端末からの応答の受信状況を前記通信状態として検知するものであってもよい。
この場合、設定部は、送信した制御情報に対する移動端末からの応答の受信状況に基づいてパラメータを設定することができ、制御情報の通信における堅牢性をより好適に設定することができる。
【０００９】
前記通信状態検知部は、当該基地局装置が送信した前記制御情報に対して前記移動端末からの応答の受信数をカウントし、この応答の受信数に基づいて当該基地局装置が受信すべき応答の未受信数を前記受信状況として求めるものであり、前記通信状態判断部は、前記通信状態検知部による検知の結果、当該基地局装置が受信すべき前記応答の未受信数と、予め設定された閾値とに基づいて通信状態を判断するものであり、前記設定部は、前記通信状態判断部の判断結果に基づいて、前記パラメータに含まれる、前記送信出力値、及び前記リピテーション値の内、少なくともいずれか一方の値の調整を行うものであってもよい。
またさらに、この場合、前記通信状態判断部は、当該基地局装置が受信すべき前記応答の未受信数が前記閾値よりも大きいか否かを判断するものであり、前記設定部は、前記通信状態判断部により前記未受信数が前記閾値よりも大きいと判断された場合、前記パラメータに含まれる、前記送信出力値、及び前記リピテーション値の内、少なくともいずれか一方の値を増加させるものであることが好ましい。
【００１０】
上記構成によれば、通信状態判断部は、基地局装置が受信すべき応答の未受信数に基づいて、制御情報の通信が適正に行われているか否かを判断することができる。さらに、通信状態判断部によって、制御情報の通信が適正に行われていないと判断される場合に、設定部は、前記パラメータに含まれる送信出力値、及びリピテーション値の内、少なくともいずれか一方の値を増加させることで、他の制御情報のパラメータをより堅牢性の高い設定とすることができる。この結果、移動端末との間における制御情報の通信の安定性をより高めることができる。
【００１１】
また、上記基地局装置において、前記制御情報は、前記移動端末に対する前記トラヒックデータの割り当てに関する割当情報を含んでおり、前記通信状態検知部は、前記移動端末からのトラヒックデータの受信状況を前記通信状態として検知するものであり、前記設定部は、前記通信状態検知部による前記トラヒックデータの受信状況に基づいて、前記割当情報についての前記パラメータを設定するものであることが好ましい。
【００１２】
上記割当情報の通信が適正に行われていなければ、当該基地局装置と移動端末との間のトラヒックデータの通信が全く行えない状態になるところ、上記の場合、通信状態検知部がトラヒックデータの受信状況を検知することで、当該基地局装置と移動端末との間のトラヒックデータの通信が適正に行われているか否かを把握し、制御情報の内の少なくとも割当情報の通信状態を把握することができる。さらに、設定部は、トラヒックデータの受信状況に基づいて、割当情報についての前記パラメータを設定するので、割当情報の通信における堅牢性をより好適に設定することができる。
【００１３】
前記通信状態検知部は、前記移動端末からのトラヒックデータの有無を前記トラヒックデータの受信状況として検知するものであり、前記通信状態判断部は、所定時間の間に前記移動端末からのトラヒックデータの受信の有無が前記通信状態検知部によって検知されるか否かによって通信状態を判断するものであり、前記設定部は、前記通信状態判断部の判断結果に基づいて、前記割当情報についての前記パラメータに含まれる、前記送信出力値、及び前記リピテーション値の内、少なくともいずれか一方の値の調整を行うものであってもよい。
またさらに、この場合、前記設定部は、前記通信状態判断部によって前記所定時間の間に前記トラヒックデータの受信が検知されないと判断された場合、前記割当情報についての前記パラメータに含まれる、前記送信出力値、及び前記リピテーション値の内、少なくともいずれか一方の値を増加させるものであることが好ましい。
【００１４】
上記構成によれば、通信状態判断部は、所定時間の間における移動端末からのトラヒックデータの受信の有無に基づいて、割当情報の通信が適正に行われているか否かを好適に判断することができる。さらに、通信状態判断部によって、所定時間の間にトラヒックデータが受信されないと判断され、割当情報の通信が適正に行われていないと判断される場合に、割当情報についてのパラメータに含まれる送信出力値、及びリピテーション値の内、少なくともいずれか一方の値を増加させることで、割当情報のパラメータをより堅牢性の高い設定とすることができる。この結果、移動端末との間における割当情報の通信の安定性をより高めることができる。
【００１５】
また、上記基地局装置において、前記通信状態検知部は、前記移動端末ごとに通信状態を検知するものであり、前記設定部は、前記移動端末ごとに前記パラメータの設定を行うものであってもよい。
この場合、移動端末ごとの制御情報の通信状態に応じて、移動端末それぞれについての制御情報のパラメータを好適に設定することができ、これにより、移動端末との間における制御情報の通信の安定性をより高めることができる。
【００１６】
また、本発明は、移動端末と、前記移動端末との間でトラヒックデータ及び制御情報の通信を行うとともに前記制御情報の通信をトラヒックデータ用の通信コネクションとは別の制御情報用の通信コネクションを用いて行う基地局装置と、を備えた無線通信システムにおける前記制御情報の送信条件設定方法であって、前記基地局装置と前記移動端末との間の通信状態を検知する検知ステップと、前記検知ステップによる検知結果に基づいて、前記基地局装置と前記移動端末との間の通信状態を判断する判断ステップと、前記判断ステップによる判断結果に基づいて、前記制御情報に含まれる当該制御情報以外の他の制御情報の通信の堅牢性に関するパラメータを設定するパラメータ設定ステップと、前記設定ステップによって設定された前記制御情報を前記移動端末に送信し、前記パラメータに基づいて前記他の制御情報の送信条件を設定する送信条件設定ステップと、を有していることを特徴としている。
【００１７】
上記のように構成された無線通信システムにおける制御情報の送信条件設定方法によれば、移動端末との通信状態に応じて、他の制御情報についての堅牢性を好適に設定することができるので、移動端末との間における制御情報の通信をより安定して行うことができる。
【発明の効果】
【００１８】
以上のように、本発明の基地局装置、及び制御情報の送信条件設定方法によれば、制御情報の通信をより安定して行うことができる。
【図面の簡単な説明】
【００１９】
【図１】本発明の第一の実施形態である、基地局装置１の構成を示すブロック図である。
【図２】ＢＳとＭＳとの間で行われる無線通信における通信フレームの構成を示す図である。
【図３】制御情報の一例を示す図である。
【図４】各制御情報を送信するための通信コネクションの態様を示す図である。
【図５】ＢＳによる制御情報のパラメータ設定の手順を示すフローチャートである。
【図６】本発明の第二の実施形態であるＢＳによる制御情報のパラメータ設定の手順を示すフローチャートである。
【発明を実施するための形態】
【００２０】
〔第一の実施形態〕
次に、本発明の好ましい実施形態について添付図面を参照しながら説明する。図１は、本発明の第一の実施形態である、基地局装置１の構成を示すブロック図である。この基地局装置１（以下、ＢＳ１ともいう）は、広帯域移動無線通信システムの基地局として用いられるものであり、例えば、ＩＥＥＥ８０２．１６に規定されるいわゆる「ＷｉＭＡＸ」と呼ばれる無線通信システムに準拠しており、移動端末２との間で、直交周波数分割多元接続（ＯＦＤＭＡ）により通信を行う。ＢＳ１は、外部の上位ネットワークと接続されており、移動端末２（以下、ＭＳ２ともいう）は、ＢＳ１との間で通信を確立することで、外部のネットワークへのエントリが可能となる。
【００２１】
〔基地局装置の構成〕
ＢＳ１は、ＭＳ２との間で無線通信を行うための信号を送受信するアンテナ３と、このアンテナ３によって信号の送受信を行うための送受信部４と、ＭＳ２との通信に関する各種制御を行うための制御部５と、外部の上位ネットワークと接続するための通信部６とを有している。
【００２２】
送受信部４は、ＭＳ２との間で信号の送受信を行う他、送受信される信号波の変復調、及びＡ／Ｄ，Ｄ／Ａ変換等を行う機能を有している。
制御部５は、ＣＰＵ、メモリ（ＲＡＭ）及び記憶装置（ハードディスクやＲＯＭ）等を有するコンピュータにより構成されており、ＢＳ１がＭＳ２との間で通信を確立するために必要な処理を行ったり、ＭＳ２からの受信信号の通信フレームに含まれる受信情報を取り出して上位ネットワークに送信したり、上位ネットワークからＭＳ２に送信される情報を通信フレームに載せる処理等を行う。
また、この制御部５は、ＭＳ２との間の通信を制御するために必要な制御情報を生成し、送受信を行うための機能部である、検知部１１、判断部１２、パラメータ設定部１３、及び制御情報生成部１４を有している。これら各機能部については、後に詳述する。
【００２３】
〔移動端末について〕
ＭＳ２は、通信が確立されたＢＳ１を介して外部の上位ネットワークにエントリし、外部との間でユーザデータの授受を行うための機能を有する他、ＢＳ１との間の通信を制御するために必要な制御情報の送受信を行うための機能を有している。
より具体的には、ＢＳ１から送信される下り制御情報を受信し、この下り制御情報に基づいて、又は自己の判断によって、上り制御情報を生成し、ＢＳ１に向けて送信する機能を有している。
【００２４】
〔通信フレームについて〕
図２は、ＢＳ１とＭＳ２との間で行われる無線通信における通信フレームの構成を示す図である。この通信フレームは、縦軸を周波数、横軸を時間としたときに表される各データの配置構成であり、ＢＳ１が送信する送信信号が割り当てられる下りサブフレームと、ＭＳ２が送信する送信信号が割り当てられる上りサブフレームとによって構成され、両サブフレームは時間軸上に、所定時間のギャップ（ＴＴＧ，ＲＴＧ）を介して交互に配列されている。
【００２５】
下りサブフレームには、プリアンブル信号（Ｐｒｅａｍｂｌｅ）が格納される領域Ｐ、フレーム制御ヘッダ（ＦＣＨ）が格納される領域Ｆ、下りサブフレーム割当情報（ＤＬ−ＭＡＰ）が格納される領域Ｄ、及び、ユーザデータ（以下、トラヒックデータともいう）や一部の制御情報等が格納される下りバースト領域ＤＢが割り当てられている。
また、下りバースト領域ＤＢは、ＢＳ１との間で通信を確立しているＭＳ２それぞれに対応してトラヒックデータを送信するために複数に分割される。この内、領域Ｄに続く下り第一バースト領域ｄｂ１には、上りサブフレーム割当情報（ＵＬ−ＭＡＰ）が格納される。
【００２６】
ＭＳ２の送信信号を送信するための送信領域である上りサブフレームには、上りのトラヒックデータが格納される上りバースト領域ＵＢの他、ＭＳ２が、ＢＳ１との通信を要求する際等に送信するレンジング情報（ＲＮＧコード）が格納される領域Ｒが割り当てられている。
上りバースト領域ＵＢは、ＢＳ１との間で通信を確立しているＭＳ２それぞれに対応して複数に分割されており、ＢＳ１との間で通信を確立しているＭＳ２それぞれがトラヒックデータを送信するための領域として、ＭＳ２それぞれに対応して割り当てられる。
【００２７】
ここで、上記ＤＬ−ＭＡＰ、及びＵＬ−ＭＡＰは、上述の制御情報であり、これらはそれぞれ、ＢＳ１とＭＳ２との間の通信の確立や維持等といった制御情報についての通信を制御するために必要な情報を有している。
【００２８】
〔制御情報について〕
ＢＳ１及びＭＳ２の間で送受信される制御情報は、その目的に応じて多種規定されている。図３は、その制御情報の一例を示す図である。
図３に示すように、制御情報としては、ＦＣＨや、各種制御メッセージが規定されている。この内、ＢＳ１からは、ＦＣＨ、及び、制御メッセージに属する、ＤＬ−ＭＡＰ、ＵＬ−ＭＡＰ、ＤＬ制御メッセージといった情報が、下り制御情報としてＭＳ２に対して送信される。また、ＭＳ２からは、制御メッセージに属するＵＬ制御メッセージを上り制御情報としてＢＳ１に対して送信する。
上記ＤＬ制御メッセージとしては、下り物理チャネル情報（ＤＣＤ）、上り物理チャネル情報（ＵＣＤ）、レンジング応答情報（ＲＮＧ−ＲＳＰ）、及び無線品質要求情報（ＲＥＰ−ＲＥＱ）といった情報が規定されている。また、ＵＬ制御メッセージには、レンジング要求情報（ＲＮＧ−ＲＥＱ）、無線品質応答情報（ＲＥＰ−ＲＳＰ）といった情報が規定されている。
【００２９】
ＦＣＨは、当該ＦＣＨに続くＤＬ−ＭＡＰの割り当て情報等を有しており、ＭＳ２が必ず受信する必要がある。このため、変調方式がＢＰＳＫ１／２に設定されている。
【００３０】
ＤＬ−ＭＡＰは、図２で示したように、下りサブフレーム内の領域Ｄを用いてＢＳ１により送信される情報であり、下りバースト領域ＤＢにおけるトラヒックデータ等の格納位置に関する情報を含んでいる。
また、このＤＬ−ＭＡＰは、ＵＬ−ＭＡＰ、ＤＣＤ、ＵＣＤ、ＲＮＧ−ＲＳＰ、及びＲＥＰ−ＲＥＱといった、当該ＤＬ−ＭＡＰ以外の他の下り制御情報を送信する際の送信条件に関するパラメータを含んでいる。なお、ＤＬ−ＭＡＰの送信条件に関するパラメータは、ＦＣＨに含めて送信される。ＭＳ２がＢＳ１から送信される下り制御情報を受信するためには、ＭＳ２がこれら下り制御情報の送信条件に関するパラメータを把握する必要がある。このため、ＢＳ１は、上記各下り制御情報の送信条件に関するパラメータを、ＦＣＨ及びＤＬ−ＭＡＰに含めてＭＳ２に対して送信する。
【００３１】
なお、上記制御情報の送信条件に関するパラメータとしては、各制御情報の通信における堅牢性に関するパラメータを含んでおり、より具体的には、後述するように、制御情報を送信するための送信出力値や、リピテーション値を含んでいる。
また、これら各制御情報は、後述するように、トラヒックデータの通信のやり取りに用いられる通信コネクションとは別個独立した通信コネクションによって通信が行われる。このため、ＢＳ１は、トラヒックデータについての通信に関する設定とは別に、上記制御情報を送信するための設定を、各通信コネクションごとに設定して送信することができる。
【００３２】
ＵＬ−ＭＡＰは、下りサブフレーム内の下りバースト領域ｄｂ１（図２参照）を用いてＢＳ１により送信される情報であり、上りサブフレームに割り当てられている上りバースト領域ＵＢにおけるトラヒックデータ等の格納位置に関する情報を含んでいる。
また、このＵＬ−ＭＡＰは、他の制御情報としての、ＭＳ２が送信するＲＮＧ−ＲＥＱやＲＥＰ−ＲＳＰといった上り制御情報についての送信条件に関するパラメータを含んでいる。
【００３３】
ＢＳ１がＤＬ−ＭＡＰ及びＵＬ−ＭＡＰをＭＳ２に対して送信することで、ＭＳ２は、下りサブフレーム内における、自己宛のトラヒックデータの格納位置、及び、上りサブフレーム内における、自己に割り当てられているトラヒックデータを送信するため上りバースト領域の位置を把握することができる。
言い換えると、ＭＳ２は、ＢＳ１が送信するＤＬ−ＭＡＰ及びＵＬ−ＭＡＰを受信できなければ、全くトラヒックデータの送受信ができない状態となる。
【００３４】
ＤＬ制御メッセージに属するＤＣＤ及びＵＣＤは、それぞれ、下り通信及び上り通信の物理チャネルに関する情報であり、所定の下りバースト領域（例えば、図２においては、下り第二バースト領域ｄｂ２）を用いてＢＳ１により送信される。
【００３５】
ＤＬ制御メッセージに属するＲＮＧ−ＲＳＰは、ＭＳ２とＢＳ１とが通信の確立を行う際に送信出力やタイミングの同期を取るための処理であるイニシャル・レンジングにおいて、ＭＳ２からのＲＮＧコードや、ＲＮＧ−ＲＥＱに応じて送信される情報であり、レンジングの結果（送信出力やタイミングのオフセット量）を示すものである。このＲＮＧ−ＲＳＰは、所定の下りバースト領域（例えば、図２においては、第二下りバースト領域ｄｂ２）に格納され、ＢＳ１により送信される。
ＤＬ制御メッセージに属するＲＥＰ−ＲＥＱは、下り通信におけるＣＩＮＲ等の無線品質に関する情報の送信をＭＳ２に対して要求するための情報であり、無線品質の要求対象となるＭＳ２に割り当てられている下りバースト領域を用いてＢＳ１により送信される。
【００３６】
ＵＬ制御メッセージに属するＲＮＧ−ＲＥＱは、ＭＳ２とＢＳ１とが通信の確立を行う際に送信出力やタイミングの同期を取るための処理であるイニシャル・レンジングにおいて、レンジングを要求するための制御情報であり、当該ＲＮＧ−ＲＥＱを送信するＭＳ２のＭＡＣアドレスやＣＩＤ（接続ＩＤ）を含んでいる。このＲＮＧ−ＲＥＱは、上りサブフレームにおける上りバースト領域ＵＢを用いてＭＳ２により送信される。
【００３７】
ＵＬ制御メッセージに属するＲＥＰ−ＲＳＰは、ＢＳ１から送信されるＲＥＰ−ＲＥＱに応じて送信される情報であり、下り通信におけるＣＩＮＲ等の無線品質に関する情報を含んでいる。このＲＥＰ−ＲＳＰは、当該ＲＮＧ−ＲＳＰを送信するＭＳ２に割り当てられている上りバースト領域を用いてＭＳ２により送信される。
【００３８】
ＭＳ２及びＢＳ１は、上記ＲＮＧ−ＲＥＱ及びＲＮＧ−ＲＳＰの送受信によって行われるイニシャル・レンジングによって、互いに通信を開始することができる。
また、ＭＳ２及びＢＳ１は、ＲＥＰ−ＲＥＱ及びＲＥＰ−ＲＳＰの送受信によって、互いの間で確立している通信に係る無線品質を把握維持することができる。
【００３９】
ＢＳ１及びＭＳ２の間で送受信される上述の各制御情報は、トラヒックデータを送信するための通信コネクションとは別個独立した通信コネクションによって通信が行われる。この制御情報の通信コネクションとしては、例えば、ブロードキャスト・コネクション、フラグメンタブル・ブロードキャスト・コネクション、イニシャル・レンジング・コネクション、ベーシック・コネクション、及びプライマリ・コネクションの５つがある。
この内、ブロードキャスト・コネクション、及びフラグメンタブル・ブロードキャスト・コネクションは、ＢＳ１から不特定多数のＭＳ２に対して制御情報をブロードキャスト送信するためのコネクションである。また、イニシャル・レンジング・コネクションは、イニシャル・レンジングを行うための制御情報を送信するためのコネクションである。ベーシック・コネクションは、基本的な制御情報を送信するためのコネクションであり、プライマリ・コネクションは、その他の制御情報を送信するためのコネクションである。
【００４０】
図４は、本実施形態における各制御情報を送信するための通信コネクションの態様を示す図である。図において、ＤＬ−ＭＡＰ、及びＵＬ−ＭＡＰは、ブロードキャスト・コネクションによってＢＳ１から不特定のＭＳ２に対して送信される。
また、ＤＣＤ、及びＵＣＤは、フラグメンタブル・ブロードキャスト・コネクションによって、ＢＳ１から不特定のＭＳ２に対してブロードキャスト送信される。
ＲＮＧ−ＲＳＰ、及びＲＥＰ−ＲＥＱは、ベーシック・コネクションによってＢＳ１から所定のＭＳ２に向けて送信される。
ＲＮＧ−ＲＥＱは、イニシャル・レンジング・コネクションによってＭＳ２からＢＳ１に向けて送信される。
また、ＲＥＰ−ＲＳＰは、ベーシック・コネクションによってＭＳ２からＢＳ１に向けて送信される。
以上のように、ＢＳ１及びＭＳ２は、トラヒックデータを送信するための通信コネクションとは別個独立した通信コネクションによって上記各制御情報の送受信を互いに行うことができ、通信の制御を行うように構成されている。
【００４１】
〔制御情報の送信条件に関するパラメータの設定について〕
ＢＳ１は、他の制御情報としてのＵＬ−ＭＡＰや、ＤＬ制御メッセージの送信条件としてその通信の堅牢性に関するパラメータを含んだＤＬ−ＭＡＰを生成し、他の制御情報としてのＭＳ２が送信するＲＮＧ−ＲＥＱ、及びＲＥＰ−ＲＳＰの送信条件としてその通信の堅牢性に関するパラメータを含んだＵＬ−ＭＡＰを生成する機能を有している。また、ＢＳ１は、上記ＤＬ制御メッセージを生成する機能を有している。
ＭＳ２は、ＢＳ１から送信されるＵＬ−ＭＡＰに含まれる通信の堅牢性に関するパラメータに基づいて、ＵＬ制御メッセージであるＲＮＧ−ＲＥＱ、及びＲＥＰ−ＲＳＰの通信の堅牢性に関するパラメータを調整し、当該ＵＬ制御メッセージをＢＳ１に向けて送信するように構成されている。
つまり、ＢＳ１は、ＲＮＧ−ＲＥＱやＲＥＰ−ＲＳＰといった上り制御情報の通信における堅牢性に関するパラメータを含んだＵＬ−ＭＡＰをＭＳ２に送信することで、当該ＭＳ２が送信するＵＬ制御メッセージ（上り制御情報）の送信条件を調整させることができる。
【００４２】
以下、ＢＳ１が行う、上記各制御情報の送信条件の設定について説明する。制御情報については、図３にて示した各制御情報以外に多種の制御情報が規定されているが、本実施形態においては、通信の制御に不可欠である、図３にて示した各制御情報の内、送信条件の設定についてのみ説明する。
図１に示すように、ＢＳ１の制御部５は、上述のように、上記各下り制御情報を生成し、送受信を行うための機能部を有しており、制御部５は、前記機能部として、ＭＳ２との通信状態を検知するための検知部１１と、この検知部１１の検知結果に基づいてＭＳ２との通信状態を判断する判断部１２と、この判断部１２の判断結果に基づいて制御情報の通信における堅牢性に関するパラメータを設定するパラメータ設定部１３と、このパラメータ設定部１３により設定されたパラメータに基づいて制御情報を生成する制御情報生成部１４とを有している。
【００４３】
検知部１１は、送受信部４によって受信されたＭＳ２からの受信信号に基づいて、上りトラヒックデータの受信パケット数を通信状態として計測するトラヒックデータ検知部１１ａと、ＢＳ１が送信した下り制御情報に対する応答としてＭＳ２から送信される上り制御情報の受信数をカウントし、この受信数に基づいてＢＳ１が受信すべき上り制御情報の未受信数を通信状態として求める制御情報検知部１１ｂとを有している。
【００４４】
本実施形態において、制御情報検知部１１ｂは、応答を必要とする下り制御情報がいくつ送信されたかを記憶しておき、上記制御情報検知部１１ｂがカウントする上り制御情報の受信数に基づいて、送信された下り制御情報に対して返送されていない上り制御情報の数である未受信数を求めるように構成することもできるし、上記規格に規定される、ＡＲＱ（自動再送要求）を用い、このＡＲＱの機能によって、受信ロスが生じたときに、ＭＳ２から送信されるＡＣＫ（確認応答）の受信回数をカウントすることによって、未受信数を求めるように構成することもできる。
なお、ＢＳ１が送信した下り制御情報に対する応答としてＭＳ２から送信される上り制御情報としては、ＢＳ１が送信するＲＮＧ−ＲＳＰに対して応答されるＲＮＧ−ＲＥＱや、ＢＳ１が送信するＲＥＰ−ＲＥＱに対して応答されるＲＥＰ−ＲＳＰ等が挙げられる。
【００４５】
検知部１１は、トラヒックデータ検知部１１ａによって、トラヒックデータの受信状況を通信状態として検知することで、ＭＳ２との間の通信の確立が適正に行われているか否かを把握できるとともに、制御情報検知部１１ｂによって、上り制御情報の受信状況である前記未受信数を通信状態として検知することで、制御情報の通信が適正に行われているか否かを把握することができる。
【００４６】
判断部１２は、トラヒックデータ検知部１１ａが計測する計測結果に基づいて、所定時間である、例えばＸ秒間の間にトラヒックデータを受信したか否かを判断するトラヒックデータ判断部１２ａと、ＢＳ１が受信すべき上り制御情報の未受信数、及び予め設定された閾値（例えば、Ｙ個）に基づいて通信状態を判断する制御情報判断部１２ｂとを有している。
判断部１２は、トラヒックデータ判断部１２ａによって、ＭＳ２からのトラヒックデータの受信の有無を判断できるとともに、制御情報判断部１２ｂによって、上り制御情報の未受信数から制御情報の通信が適正に行われているか否かを判断することができる。
【００４７】
特に、トラヒックデータについては、上述したように、ＤＬ−ＭＡＰ及びＵＬ−ＭＡＰがＭＳ２によって受信されていなければ、トラヒックデータの送受信が全く行えない状態となる。従って、トラヒックデータ判断部１２ａが、トラヒックデータの受信状況を検知することで、制御部５は、当該基地局装置と移動端末との間のトラヒックデータの通信が適正に行われているか否かを把握し、制御情報の内の少なくともＤＬ−ＭＡＰ及びＵＬ−ＭＡＰの通信状態を把握することができる。
【００４８】
パラメータ設定部１３は、ＢＳ１が送信する下り制御情報の通信の堅牢性に関するパラメータを設定する下り設定部１３ａと、ＵＬ−ＭＡＰに格納送信される上り制御情報の通信の堅牢性に関するパラメータを設定する上り設定部１３ｂとを有している。
これら両設定部１３ａ，１３ｂは、上記判断部１２の判断結果に基づいて、両制御情報の送信条件の内、通信における堅牢性に関するパラメータをそれぞれ設定する。
下り設定部１３ａは、ＤＬ−ＭＡＰ、ＵＬ−ＭＡＰ、ＤＣＤ，ＵＣＤ，ＲＮＧ−ＲＳＰ，ＲＥＰ−ＲＥＱ，及びその他制御メッセージそれぞれの通信の堅牢性に関するパラメータを設定し、設定したこれら下り制御情報に対応する各パラメータを制御情報生成部１４に出力する。
なお、下り設定部１３ａが設定する下り制御情報の内、ベーシックコネクションで送信されるＲＮＧ−ＲＳＰ，ＲＥＰ−ＲＥＱ，及びその他制御メッセージそれぞれについてのパラメータについては、各ＭＳ２ごとに異なる設定が可能である。
上り設定部１３ｂは、ＲＮＧ−ＲＥＱ，ＲＥＰ−ＲＳＰ，及びその他制御メッセージに関するパラメータを設定し、設定したこれら上り制御情報の送信条件を制御情報生成部１４に出力する。
なお、ＲＮＧ−ＲＥＱ，ＲＥＰ−ＲＳＰ，及びその他メッセージそれぞれについてのパラメータは、各ＭＳ２ごとに異なる設定が可能である。
【００４９】
制御情報生成部１４は、ＲＮＧ−ＲＥＱ，ＲＥＰ−ＲＳＰ，及びその他メッセージの通信における堅牢性に関するパラメータを含んだＵＬ−ＭＡＰを生成する他、設定された各下り制御情報のパラメータを含んだＤＬ−ＭＡＰ等、他の下り制御情報を生成し、送受信部４に出力する。
なお、下り設定部１３ａによって設定される、ＤＬ−ＭＡＰの通信における堅牢性に関するパラメータは、ＦＣＨに格納されてＭＳ２に送信される。
送受信部４は、上記下り制御情報（ＤＬ−ＭＡＰ、ＵＬ−ＭＡＰ、ＤＣＤ，ＵＣＤ，ＲＮＧ−ＲＳＰ，ＲＥＰ−ＲＥＱ，及びその他メッセージ）を、下り設定部１３ａによってそれぞれに設定されたパラメータに基づいて送信する。
【００５０】
上記両設定部１３ａ，１３ｂは、制御情報の通信における堅牢性に関するパラメータとして、変調方式、リピテーション値、及び送信出力値の設定を行うことができる。
選択可能な変調方式としては、例えば、ＤＬ−ＭＡＰ及びＵＬ−ＭＡＰについてはＱＰＳＫ１／２、ＤＣＤ，ＵＣＤ，ＲＮＧ−ＲＳＰ，ＲＥＰ−ＲＥＱ，，及びその他メッセージについてはＱＰＳＫ１／２〜６４ＱＡＭ５／６、ＲＮＧ−ＲＥＱ，及びＲＥＰ−ＲＳＰ，及びその他メッセージについてはＱＰＳＫ１／２〜１６ＱＡＭ３／４がある。
なお、本実施形態においては、これら変調方式は、全てＱＰＳＫ１／２で固定とした。
【００５１】
リピテーションとは、同じデータを複数回送信する処理であり、データ転送誤りが多発する状況での信頼性を高めることができる。リピテーション値とは、このリピテーションにおけるデータの繰り返し送信回数である。従って、リピテーション値を増加させることで、制御情報に係る通信の堅牢性を高めることができる。
このリピテーション値としては、各制御情報全てにおいて、０，２，４，６回の４種類の中から選択し設定することができる。
また、送信出力値としては、下りバースト領域で送信されるＵＬ−ＭＡＰ，ＤＣＤ，ＵＣＤ，ＲＮＧ−ＲＳＰ，ＲＥＰ−ＲＥＱ，及びその他メッセージについては、−１２ｄＢ〜＋６ｄＢの範囲で設定することができる。この送信出力値を増加させることで、制御情報に係る通信は、その堅牢性が高められる。なお、本実施形態において、ＤＬ−ＭＡＰ，及びＭＳ２により送信されるＲＮＧ−ＲＥＱ，ＲＥＰ−ＲＳＰ，及びその他メッセージの送信出力値については、０ｄＢで固定とする。
【００５２】
以上によって、ＢＳ１は、判断部１２の判断結果に基づいて、ＤＬ−ＭＡＰやＵＬ−ＭＡＰに含まれる、他の制御情報を送信するための上記各通信コネクションにおける堅牢性に関するパラメータを設定することで、前記他の制御情報についての通信の堅牢性を、ＭＳ２との通信状態に応じて変化させることができる。特に、ＲＮＧ−ＲＥＱやＲＥＰ−ＲＳＰ等の上り制御情報のパラメータについては、上り設定部１３ｂによって設定されたパラメータを含んだＵＬ−ＭＡＰをＭＳ２に送信することで、当該パラメータをＭＳ２による制御情報の通信に反映させることができる。
【００５３】
次に、上記構成のＢＳ１が行う制御情報の通信における堅牢性に関するパラメータの設定の手順について説明する。なお、以下の説明では、「制御情報の通信における堅牢性に関するパラメータ」については、単に「パラメータ」ともいう。図５は、ＢＳ１による制御情報のパラメータ設定の手順を示すフローチャートである。なお、以下の説明では、ＢＳ１と、複数のＭＳ２との間で通信が行われる場合について説明する。また、図中、ＤＬ制御メッセージとは、上述の通り、ＦＣＨ，ＤＬ−ＭＡＰ，及びＵＬ−ＭＡＰ以外の他の下り制御情報を示しており、ＵＬ制御メッセージとは、ＲＮＧ−ＲＥＱ，ＲＥＰ−ＲＳＰ，及びその他メッセージを示しており、ＤＬ制御メッセージ，ＵＬ制御メッセージ，ＤＬ−ＭＡＰ，及びＵＬ−ＭＡＰそれぞれのパラメータを示している。また、図中、「Ｍｏｄ」は変調方式、「Ｒｅｐ」はリピテーション値、「Ｂｏｏｓｔ」は送信出力値を示している。
また、上記パラメータの内、各ＭＳ２ごとに異なる設定が可能な、ＵＬ制御メッセージ（ＲＮＧ−ＲＥＱ，ＲＥＰ−ＲＳＰ，及びその他メッセージ）について、本実施形態では、各ＭＳ２全てに対して、同一のパラメータの値に設定するものとする。
【００５４】
また、図において、これら各パラメータの状態を示している「アップ」とは、各値を堅牢性を高める方向に調整して設定することを示しており、具体的には、リピテーション値及び送信出力値について、その数値を所定のステップで増加させる設定とすることを示している。また、「ダウン」とは、各値を堅牢性が低くなる方向に調整設定することを示しており、各数値を所定のステップで減少させる設定とすることを示している。この場合、リピテーション値が減少するように設定すると、繰り返し送信のために使用されるバースト領域を少なくすることができ、無線資源の効率が高まる方向に設定される。「維持」とは、各値を維持して設定することを示している。
また、図中の各ステップにおいて、特に設定の表示がないパラメータについては、現状の設定を維持するものとする。
【００５５】
ＢＳ１の制御部５は、ＭＳ２との間で通信を行うに当たって、図に示すフローチャートに示す処理を繰り返し実行する。
図において、パラメータ設定部１３は、まず、各パラメータについて、初期設定を行う（ステップＳ１０１）。初期設定の値としては、図に示すように、変調方式は、全てＱＰＳＫ１／２、リピテーション値、及び送信出力値は、全て「０」に設定される。
【００５６】
次に、制御部５は、トラヒックデータ検知部１１ａに上りトラヒックデータの受信パケット数を計測させるとともに、制御情報検知部１１ｂに上り制御情報の未受信数をカウントさせる（ステップＳ１０２）。
【００５７】
次に制御部５は、トラヒックデータ判断部１２ａに、Ｘ秒間の間に上りトラヒックデータを受信したか否かを判断させる（ステップＳ１０３）。なお、この判断の基準となるＸ秒間の計時を開始するタイミングは、ステップＳ１０２において受信パケット数の計測を開始した時に設定され、例えば、当該制御部５が機能的に有するタイマ等を用いて測定する。また、ステップＳ１０３におけるトラヒックデータを計測する計測時間（Ｘ秒）は、上りトラヒックデータの受信の有無に基づいて、適正な通信の確立が行われていないと判断できる程度の時間に設定される。
【００５８】
ステップＳ１０３において、トラヒックデータを受信していないと判断された場合、ステップＳ１０４に進み、制御部５は、下り設定部１３ａに、ＤＬ−ＭＡＰのリピテーション値を増加させる設定を行わせるとともに、ＵＬ−ＭＡＰのリピテーション値及び送信出力値を増加させる設定を行わせ、他の制御情報のパラメータについては、現状を維持する設定を行わせる（ステップＳ１０４）。
その後、ステップＳ１０２に戻り、再度、ＭＳ２との間における通信状態の検知を行う。
【００５９】
一方、ステップＳ１０３において、トラヒックデータを受信していると判断された場合、ステップＳ１０５に進み、制御部５は、制御情報判断部１２ｂに、制御情報検知部１１ｂのカウントする上り制御情報の未受信数がＹ個よりも大きいか否かを判断させる（ステップＳ１０５）。
ステップＳ１０５において、上り制御情報の未受信数がＹ個よりも大きいと判断された場合、ステップＳ１０６に進み、制御部５は、下り設定部１３ａに、ＤＬ−ＭＡＰのリピテーション値、並びに、ＵＬ−ＭＡＰのリピテーション値及び送信出力値を維持させる設定を行わせ、ＤＬ制御メッセージのリピテーション値及び送信出力値については、増加させる設定を行わせる。また、制御部５は、上り設定部１３ｂに、ＵＬ制御メッセージのリピテーション値を増加させる設定を行わせる（ステップＳ１０６）。
その後、ステップＳ１０２に戻り、再度、ＭＳ２との間における通信状態の検知を行う。なお、ステップＳ１０５における判断基準となる未受信数の個数（Ｙ個）は、両制御情報の通信が適正に行われていないと判断しうる値に設定される。
【００６０】
ステップＳ１０５において、上り制御情報の未受信数がＹ個以下であると判断された場合には、ステップＳ１０７に進み、制御部５は、制御情報判断部１２ｂに対してさらに、制御情報検知部１１ｂのカウントする上り制御情報の未受信数がＺ個以下（なお、Ｚ＜Ｙ）であるか否かを判断させる（ステップＳ１０７）。
ステップＳ１０７において、上り制御情報の未受信数がＺ個以下でないと判断された場合、ステップＳ１０８に進み、制御部５は、下り設定部１３ａ、及び上り設定部１３ｂに、全てのパラメータについて、現状を維持する設定を行わせ（ステップＳ１０８）、ステップＳ１０２に戻る。
なお、ステップＳ１０７における判断基準となる未受信数の個数（Ｚ個）は、両制御情報の通信が適正に行われていると判断できる程度の値に設定される。
【００６１】
一方、ステップＳ１０７において、上り制御情報の未受信数がＺ個以下であると判断された場合には、ステップＳ１０９に進み、制御部５は、下り設定部１３ａ、及び上り設定部１３ｂに、全てのパラメータの値について、減少させる設定を行わせる（ステップＳ１０９）。
その後、ステップＳ１０２に戻り、再度、ＭＳ２との間における通信状態の検知を行う。
【００６２】
上記のように構成されたＢＳ１によれば、ＭＳ２との通信状態に応じて、ＢＳ１が送信する制御情報に含まれる、当該制御情報以外の他の制御情報（例えば、ＢＳ１が送信する制御情報としてのＤＬ−ＭＡＰに含まれる、他の制御情報としてのＵＬ−ＭＡＰやＤＬ制御メッセージ）についての通信の堅牢性に関するパラメータを調整設定することで、当該他の制御情報についての通信の堅牢性を、通信状態に応じて変化させることができ、制御情報の通信における堅牢性を好適に設定することができる。つまり、ＭＳ２との通信状態に応じて、制御情報の通信における堅牢性を好適に設定し制御情報を送信することができるので、ＭＳ２との間における制御情報の通信をより安定して行うことができる。
【００６３】
また、上記実施形態において、検知部１１は、制御情報検知部１１ｂを有しているので、各制御情報の受信状況について検知することができる。また、判断部１２は、上述の制御情報判断部１２ｂを有しているので、ＢＳ１が受信すべき上り制御情報の未受信数に基づいて、制御情報の通信が適正に行われているか否かを判断することができる。
ＢＳ１が受信すべき上り制御情報の未受信数が多ければ、ＭＳ２との間で、ＤＬ−ＭＡＰ，及びＵＬ−ＭＡＰ以外の他の下り制御情報、及び上り制御情報の内、少なくともいずれか一方の通信が適正に行われていないおそれがある。つまり、ＢＳ１側からでは、ＢＳ１が送信した下り制御情報がＭＳ２に正常に到達していないのか、あるいは、ＭＳ２が送信した上り制御情報がＢＳ１に正常に到達していないのか判断することができない。
本実施形態では、ＢＳ１が受信すべき上り制御情報の未受信数が所定の閾値であるＹ個よりも大きいと判断され、制御情報の通信が適正に行われていないと判断される場合、ＤＬ制御メッセージのリピテーション値及び送信出力値、並びに、ＵＬ制御メッセージのリピテーション値をそれぞれ増加させることで（図５中、ステップＳ１０５，Ｓ１０６参照）、ＤＬ制御メッセージ及びＵＬ制御メッセージのパラメータをより堅牢性の高い設定とすることができる。すなわち、正常に通信が行われていないのが、上り側及び下り側のいずれであったとしても、上り側及び下り側の双方について、堅牢性が高まる設定とするように構成されている。この結果、ＭＳ２との間における通信における制御情報の通信の安定性をより高めることができる。
【００６４】
また、上記実施形態において、判断部１２は、上述のトラヒックデータ判断部１２ａを有しているので、ＭＳ２からのトラヒックデータの受信の有無に基づいて、制御情報の通信が適正に行われているか否かを判断することができる。
ＭＳ２からのトラヒックデータの受信がなければ、ＭＳ２との間で、適正な通信の確立が行われていない可能性があり、ＤＬ−ＭＡＰ、及び、ＵＬ−ＭＡＰを、ＭＳ２が適正に受信していないおそれがある。本実施形態では、ＭＳ２からのトラヒックデータの受信がないと判断され、ＤＬ−ＭＡＰ、及び、ＵＬ−ＭＡＰが、ＭＳ２によって適正に受信されていないと判断される場合、ＤＬ−ＭＡＰのリピテーション値、及びＵＬ−ＭＡＰのリピテーション値、送信出力値をそれぞれ増加させることで（図５中、ステップＳ１０３，Ｓ１０４参照）、ＤＬ−ＭＡＰ及びＵＬ−ＭＡＰのパラメータをより堅牢性の高い設定とすることができる。この結果、ＭＳ２との間における通信における制御情報の通信の安定性をより高めることができる。
【００６５】
〔第二の実施形態〕
図６は、本発明の第二の実施形態であるＢＳ１による制御情報のパラメータ設定の手順を示すフローチャートである。
本実施形態では、検知部１１の制御情報検知部１１ｂ、判断部１２の制御情報判断部１２ｂ、及びパラメータ設定部１３が、それぞれ、ＭＳ２ごとに制御情報の検知、判断を行い、ＭＳ２ごとに上り制御情報のパラメータを設定する場合を示している。
【００６６】
図６中、ステップＳ２０１，Ｓ２０３，Ｓ２０４については、それぞれ上記第一の実施形態のステップＳ１０１，Ｓ１０３，Ｓ１０４と同様である。
ステップＳ２０２において、制御部５は、トラヒックデータ検知部１１ａに上りトラヒックデータの受信パケット数を計測させるとともに、制御情報検知部１１ｂに、各ＭＳ２ごとに上り制御情報の受信の有無を検知させる（ステップＳ２０２）。
ステップＳ２０３において、トラヒックデータを受信していると判断された場合、ステップＳ２０５に進み、制御部５は、下り設定部１３ａに、ＤＬ−ＭＡＰのリピテーション値を減少させる設定を行わせるとともに、ＵＬ−ＭＡＰのリピテーション値及び送信出力値を減少させる設定を行わせる（ステップＳ２０５）。
【００６７】
次に、制御部５は、制御情報判断部１２ｂに、ＢＳ１が受信すべき上り制御情報が未受信となっている送信元のＭＳ２を特定させる（ステップＳ２０６）。
そして、ステップＳ２０７において、制御部５は、下り設定部１３ａに、ステップＳ２０６において特定されたＭＳ２についてのＤＬ制御メッセージのリピテーション値及び送信出力値については、増加させる設定を行わせ、上り設定部１３ｂに、前記特定されたＭＳ２についてのＵＬ制御メッセージのリピテーション値を増加させる設定を行わせる（ステップＳ２０７）。なお、このステップＳ２０７においてパラメータが設定されるＤＬ制御メッセージは、ＭＳ２ごとに各パラメータの設定が可能なＲＮＧ−ＲＳＰ及びＲＥＰ−ＲＳＰを対象としている。
【００６８】
次いで、ステップＳ２０８に進み、制御部５は、下り設定部１３ａに、ステップＳ２０６において特定されなかった他のＭＳ２についてのＤＬ制御メッセージのリピテーション値及び送信出力値については、減少させる設定を行わせ、上り設定部１３ｂに、前記他のＭＳ２についてのＵＬ制御メッセージのリピテーション値を減少させる設定を行わせる（ステップＳ２０８）。なお、このステップＳ２０８においても、パラメータが設定されるＤＬ制御メッセージは、ＭＳ２ごとにパラメータの設定が可能なＲＮＧ−ＲＳＰ及びＲＥＰ−ＲＳＰを対象としている。
その後、ステップＳ２０２に戻り、再度、ＭＳ２との間における通信状態の検知を行う。
【００６９】
本実施形態のＢＳ１によれば、検知部１１、及び判断部１２がＭＳ２ごとに通信状態を検知、判断し、パラメータ設定部１３が、それに応じて、ＭＳ２ごとに制御情報のパラメータを設定するので、ＭＳ２ごとの制御情報の通信状態に応じて、ＭＳ２それぞれについての制御情報の通信における堅牢性に関するパラメータを好適に設定することができる。
【００７０】
本発明は、上記各実施形態に限定されることはない。例えば、トラヒックデータ判断部１２ａは、トラヒックデータの受信の有無に基づいて、通信状態を判断するように構成したが、トラヒックデータのパケット数に基づいて通信状態を判断するようにすることもできる。また、制御情報検知部１１ｂ、及び制御情報判断部１２ｂは、ＢＳ１が受信すべき上り制御情報の未受信数を通信状態として求め、この未受信数に基づいて通信状態を判断するように構成したが、制御情報検知部１１ｂによって上り制御情報の受信数をカウントし、この受信数に基づいて、制御情報判断部１２ｂに通信状態を判断させるように構成してもよい。
また、パラメータ設定部１３は、各制御情報の通信における変調方式を、調整の対象としても良く、この場合、各制御情報の通信それぞれについて、変調方式を堅牢性の高いＱＰＳＫ１／２から、堅牢性は低下するがデータの送信効率が高くなる６４ＱＡＭ５／６までの間で、調整するように構成してもよい。
【００７１】
今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【００７２】
１  ＢＳ（基地局装置）      ２  ＭＳ（移動端末）      ３  アンテナ
４  送受信部      ５  制御部      ６  通信部      １１  検知部
１１ａ  トラヒックデータ検知部      １１ｂ  制御情報検知部      １２  判断部
１２ａ  トラヒックデータ判断部      １２ｂ  制御情報判断部
１３  パラメータ設定部      １３ａ  下り設定部    
１３ｂ  上り設定部      １４  制御情報生成部
【図１】
2011120293.tif 000003
【図２】
2011120293.tif 000004
【図３】
2011120293.tif 000005
【図４】
2011120293.tif 000006
【図５】
2011120293.tif 000007
【図６】
2011120293.tif 000008